(57)【要約】      （修正有）【課題】使用者の希望する液体の量を容易かつ正確に吐出させるとともに、経済性の向上、省資源性及び自然環境保護に貢献し、更に吐出量規制器の小型化及び低コスト化を図り、加えて着脱を容易に行えるようにする。【解決手段】着脱部３を、ヘッド部Ｈに一体に設けたピストンロッド部Ｒの周面に着脱可能にするとともに、異なる高さ（軸方向寸法）を有する三以上のリング状体を有し、各リング状体を単独又は任意に組合わせることによりヘッド部Ｈの下降ストロークを規制する高さを変更可能な高さ変更手段５を備える。【選択図】図１
0003119920.tif 000002
【実用新案登録請求の範囲】
【請求項１】
流体を収容した容器に装着し、ヘッド部を押下げることにより、このヘッド部に設けたノズル部から前記容器に収容した流体を外部に吐出させるディスペンサに着脱する着脱部と、この着脱部を前記ディスペンサに装着した際に、押下げられる前記ヘッド部の下方に介在することにより、前記ヘッド部の下降ストロークを規制する係止部とを有するリング状体を備えるディスペンサ用吐出量規制器において、前記着脱部を、前記ヘッド部に一体に設けたピストンロッド部の周面に着脱可能にするとともに、異なる高さ（軸方向寸法）を有する三以上のリング状体を有し、各リング状体を単独又は任意に組合わせることにより前記ヘッド部の下降ストロークを規制する高さを変更可能な高さ変更手段を備えることを特徴とするディスペンサ用吐出量規制器。
【考案の詳細な説明】
【技術分野】
【０００１】
本考案は、容器に収容した流体を外部に吐出させるディスペンサに用いて好適なディスペンサ用吐出量規制器に関する。
【背景技術】
【０００２】
従来、シャンプや液体石鹸等の流体を収容した容器に装着し、ヘッド部を押下げることにより、このヘッド部に設けたノズル部から容器に収容した流体を外部に吐出させるディスペンサは、例えば、特開平１０−２８６４９８号公報で知られている。この種のディスペンサは、ポンプ機能を有するため、ヘッド部を押下げることにより、ポンプ機能によって容器に収容した流体を一定量だけ外部に吐出させることができる。
【特許文献１】特開平１０−２８６４９８号
【考案の開示】
【考案が解決しようとする課題】
【０００３】
しかし、従来のディスペンサは、一定量だけ外部に吐出させることはできるものの、設定された一定量は、ディスペンサ固有のものであり、必ずしも使用者（消費者）の希望に応えるものではない。一方、使用者によっては、このように設定された一定量よりも少ない量を希望する場合もあるが、この場合、使用者は、ディスペンサにおけるヘッド部の押下げ操作を途中で止めるなど、微妙な操作加減を必要とする。したがって、特に、お年寄りや子供にとっては極めて面倒な操作にならざるを得ないとともに、このような操作では希望する量を正確に得ることは容易でない。
【０００４】
このように、従来のディスペンサは、使用者が希望する液量を得ようとする場合、操作が面倒になるなど、操作性及び利便性に難点があり、しかも、無駄な消費を伴うことから経済性に劣るとともに、省資源性及び自然環境保護の観点からも好ましくない問題があった。
【０００５】
本考案は、このような背景技術に存在する課題を解決したものであり、使用者の希望する吐出量を容易かつ正確に得れるなど、操作性及び利便性を高めることができるとともに、経済性の向上、さらには省資源性及び自然環境保護に貢献することができるディスペンサ用吐出量規制器の提供を目的とする。
【課題を解決するための手段】
【０００６】
本考案に係るディスペンサ用吐出量規制器１ｘは、流体Ｌを収容した容器Ｂに装着し、ヘッド部Ｈを押下げることにより、このヘッド部Ｈに設けたノズル部Ｎから容器Ｂに収容した流体Ｌを外部に吐出させるディスペンサＤに着脱する着脱部３と、この着脱部３をディスペンサＤに装着した際に、押下げられるヘッド部Ｈの下方に介在することにより、ヘッド部Ｈの下降ストロークを規制する係止部４とを有するリング状体を備える吐出量規制器において、着脱部３を、ヘッド部Ｈに一体に設けたピストンロッド部Ｒの周面に着脱可能にするとともに、異なる高さ（軸方向寸法）を有する三以上のリング状体２ａ，２ｂ，２ｃを有し、各リング状体２ａ…を単独又は任意に組合わせることによりヘッド部Ｈの下降ストロークを規制する高さを変更可能な高さ変更手段５を備えることを特徴とする。
【考案の効果】
【０００７】
このような構成を有する本考案に係るディスペンサ用吐出量規制器１ｘによれば、次のような顕著な効果を奏する。
【０００８】
（１）  使用者は、ディスペンサのヘッド部を単に押下げるのみで、使用者の希望する液体の量を容易かつ正確に吐出させることができ、操作性及び利便性を高めることができる。
【０００９】
（２）  無駄な消費を伴わないため、経済性の向上、更には省資源性及び自然環境保護に貢献することができる。
【００１０】
（３）  着脱部を、ヘッド部に一体に設けたピストンロッド部の周面に着脱させるようにしたため、吐出量規制器の小型化及び低コスト化を図れるとともに、着脱を容易に行うことができる。
【００１１】
（４）  リング状体に、ヘッド部の下降ストロークを規制する高さを変更可能な高さ変更手段を設けたため、使用者にとって最適な吐出量を設定することができる。
【考案を実施するための最良の形態】
【００１２】
次に、本考案に係る最良の実施形態を挙げ、図面に基づき詳細に説明する。
【００１３】
まず、図１及び図２を参照し、本実施形態に係るディスペンサ用吐出量規制器の原理について説明する。
【００１４】
図１中、Ｂはシャンプや液体石鹸等の流体Ｌを収容した容器であり、この容器ＢにディスペンサＤが装着されている。ディスペンサＤは、容器Ｂの上端口部に装着したディスペンサ本体部Ｍを備え、このディスペンサ本体部Ｍの中央から上方には、上端にヘッド部Ｈを一体に有するピストンロッド部Ｒが突出する。このピストンロッド部Ｒはディスペンサ本体部Ｍに対して昇降するとともに、ディスペンサ本体部Ｍに内蔵するスプリングにより上方に付勢されている。また、ヘッド部Ｈには横方に突出したノズル部Ｎを有し、このノズル部Ｎは、通液管を兼ねるピストンロッド部Ｒに連通する。ディスペンサＤは、ポンプ機能を有するため、ヘッド部Ｈを押下げることにより、ポンプ機能によって容器Ｂに収容した流体Ｌをノズル部Ｎから外部に吐出させることができる。
【００１５】
一方、１はディスペンサ用吐出量規制器であり、ディスペンサＤに着脱する着脱部３と、この着脱部３をディスペンサＤに装着した際に、押下げられるヘッド部Ｈの下方に介在することにより、ヘッド部Ｈの下降ストロークを規制する係止部４とを有するリング状体２を備える。このリング状体２は、全体を所定の弾性を有する合成樹脂により一体成形することができる。
【００１６】
リング状体２は、全体を筒形に形成し、周面の一部に切欠部２１を設けることにより、図２に示すように、平面形状がＣ形になるように形成する。これにより、リング状体２の切欠部２１と内周面形状が着脱部３を構成するとともに、リング状体２の上端面が係止部４を構成する。この場合、切欠部２１の間隔の選定により、着脱性を確保できるとともに、リング状体２の高さ（軸方向寸法）の選定により、ヘッド部Ｈの下降ストロークを規制する高さを設定できる。なお、必要により、リング状体２の周面には、図２に仮想線で示すように、ディスペンサＤに対する着脱を容易にするためのツマミ部２２等を設けることができる。
【００１７】
したがって、ディスペンサ用吐出量規制器１は次のように使用することができる。まず、ディスペンサＤに対して吐出量規制器１を装着しない場合には、ヘッド部Ｈを押下げることにより、当該ヘッド部Ｈは、図１中、仮想線で示すヘッド部Ｈｓの位置まで下降させることができる。よって、この際の下降ストロークはＳｓとなり、予めディスペンサＤに設定されている一定量の液体ＬをノズルＮから吐出させることができる。
【００１８】
一方、ディスペンサＤに対して吐出量規制器１を装着する場合を想定する。この場合、リング状体２の切欠部２１をピストンロッド部Ｒの周面に当て、そのまま径方向に押せば、リング状体２は自身の弾性に抗して広がるため、ワンタッチで装着（又は離脱）することができる。図１が装着した状態を示している。これにより、ヘッド部Ｈを押下げれば、当該ヘッド部Ｈは、底部がリング状体２の上端面に当接する高さ、即ち、図１中、仮想線で示すヘッド部Ｈｍの高さまで下降させることができる。よって、この際の下降ストロークは吐出量規制器１により高さが規制された下降ストロークＳｍとなる。このように、吐出量規制器１をディスペンサＤに装着した場合には、予めディスペンサＤに設定されている一定量の液体Ｌよりも少ない量の液体ＬをノズルＮから吐出させることができる。なお、この際に吐出される液体Ｌの量は、前述したように、リング状体２の高さ（軸方向寸法）を選定することにより設定することができる。
【００１９】
このように、使用者は、ディスペンサＤのヘッド部Ｈを単に押下げるのみで、使用者の希望する液体Ｌの量を容易かつ正確に吐出させることができるため、操作性及び利便性を高めることができる。また、無駄な消費を伴わないため、経済性の向上、更には省資源性及び自然環境保護に貢献することができる。しかも、着脱部３は、ヘッド部Ｈに一体に設けたピストンロッド部Ｒの周面に着脱させるため、吐出量規制器１の小型化と低コスト化を図れるとともに、着脱を容易に行うことができる。
【００２０】
次に、本考案に係る実施形態であるディスペンサ用吐出量規制器１ｘについて、図３を参照して説明する。
【００２１】
図３に示すディスペンサ用吐出量規制器１ｘは、図１及び図２に示したディスペンサ用吐出量規制器１に対して、リング状体２を複数用いる。図３は、高さ（軸方向寸法）をそれぞれ異ならせた三つのリング状体２ａ，２ｂ，２ｃを例示する。
【００２２】
これにより、各リング状体２ａ，２ｂ，２ｃを単独或いは任意に組合わせて用いれば、ヘッド部Ｈの下降ストロークを規制する高さを任意に変更することができる。このような異なる高さ（軸方向寸法）を有する複数のリング状体２ａ，２ｂ，２ｃは、高さ変更手段５を構成する。このような高さ変更手段５を備えることにより、使用者にとって最適な吐出量を設定することができる。
【００２３】
他方、図４には、参考実施形態を示す。図４に示すディスペンサ用吐出量規制器１ｙは、高さ（軸方向寸法）を連続して変更できる高さ変更手段５を用いたものである。図４に示す吐出量規制器１ｙは、径の異なる内側半体１１と外側半体１２によりリング状体２を構成したものである。この場合、内側半体１１の基本的な構成は、前述したリング状体２と同じとなるが、外周面に雄ネジ部１１ｎを形成した点が異なる。また、外側半体１２の基本的な構成も、前述したリング状体２と同じになるが、径（内径）を内側半体１１よりも大径に形成した点及び内周面に雄ネジ部１１ｎに螺合する雌ネジ部１２ｎを形成した点が異なる。
【００２４】
これにより、内側半体１１と外側半体１２を図４に示すように螺合し、この状態でピストンロッド部Ｒに装着することができるとともに、装着した状態で外側半体１２を内側半体１１に対して相対回転させれば、内側半体１１と外側半体１２を組合わせたリング状体２の全体の高さ（軸方向寸法）を自由かつ連続して変更することができる。
【００２５】
さらに、図５（図６）には、他の参考実施形態を示す。図５（図６）に示すディスペンサ用吐出量規制器１ｚは、着脱部３を変更するとともに、ディスペンサＤに装着した状態で複数の高さ（軸方向寸法）を容易に切換えることができる。図５に示す吐出量規制器１ｚは、上側半体１３と下側半体１４の組合わせにより構成する。この場合、下側半体１４は、径方向に二分割した分割体１４ｐと１４ｑにより構成するとともに、相対向する分割面には、図６に示すように、それぞれ凹部３１…と凸部３２…を設け、圧入結合により着脱できる着脱部３を構成する。なお、上側半体１３も下側半体１４と同様に、分割体１３ｐと１３ｑにより構成する。また、上側半体１３と下側半体１４における相対向する一方の対向面１４ｆ上には、周方向における複数位置に段差１５…を設けるとともに、他方の対向面１３ｆ上には、一方の対向面１４ｆ上の任意の位置に当接する当接部１６を設ける。図５に示す下側半体１４は、一方の分割体１４ｑの高さを高くし、他方の分割体１４ｐの高さを低くしたため、分割体１４ｑと１４ｐを結合することにより、段差１５…を設けることができる。
【００２６】
これにより、上側半体１３と下側半体１４を、ディスペンサＤのピストンロッド部Ｒに装着するとともに、上側半体１３を下側半体１４に対して相対回転させ、当接部１６を、高さの低い分割体１４ｐに当接させれば、上側半体１３と下側半体１４を組合わせたリング状体２の全体の高さ（軸方向寸法）を低くすることができるとともに、他方、この状態から上側半体１３を相対回転させ、当接部１６を、高さの高い分割体１４ｑに当接させれば、リング状体２の全体の高さ（軸方向寸法）を高くすることができる。このような上側半体１３と下側半体１４の組合わせは、特に、吐出量規制器１ｚをディスペンサＤ（ピストンロッド部Ｒ）に装着した状態で、ヘッド部Ｈの下降ストロークを規制する高さを変更可能な高さ変更手段５を構成する。
【００２７】
なお、図５（図６）は、異なる二つの高さ（軸方向寸法）を設定する場合を示したが、下側半体１４における各分割体１４ｐ，１４ｑに、さらに異なる段差を形成すれば、任意数の高さに変更することができる。したがって、一般家庭等において、複数の人数で使用する場合には、各段差毎に色分けするなどにより、使用者毎にその場で吐出量を容易に変更できる。また、必要により、上側半体１３の周面に凹凸を付すなどによって操作性を高めることができる。
【００２８】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【図面の簡単な説明】
【００２９】
【図１】本考案の原理を説明するためのディスペンサ用吐出量規制器をディスペンサに装着した状態を示す正面図、
【図２】同ディスペンサ用吐出量規制器の平面図、
【図３】本考案に係る実施形態であるディスペンサ用吐出量規制器の正面図、
【図４】参考実施形態に係るディスペンサ用吐出量規制器の正面断面図、
【図５】他の参考実施形態に係るディスペンサ用吐出量規制器の斜視図、
【図６】同吐出量規制器における下側半体を分離した状態の斜視図、
【符号の説明】
【００３０】
１ｘ    ディスペンサ用吐出量規制器
２ａ…  リング状体
３      着脱部
４      係止部
５      高さ変更手段
Ｌ      流体
Ｂ      容器
Ｈ      ヘッド部
Ｎ      ノズル部
Ｄ      ディスペンサ
Ｒ      ピストンロッド部
【図１】
0003119920.tif 000003
【図２】
0003119920.tif 000004
【図３】
0003119920.tif 000005
【図４】
0003119920.tif 000006
【図５】
0003119920.tif 000007
【図６】
0003119920.tif 000008